(57)【要約】      （修正有）【課題】ウォブリング時の像倍率変動を抑え、レンズ軽量化により高精度なウォブリング動作を可能とすると共に、良好な光学性能を得ることが可能で、ミラーレスカメラに最適な結像光学系を提供する。【解決手段】結像光学系は、物体側から像側へ順に、正の屈折力を有する第１レンズ群Ｌ１と、負の屈折力を有する第２レンズ群Ｌ２と、正の屈折力を有する第３レンズ群Ｌ３と、負の屈折力を有する第４レンズ群Ｌ４と、正又は負の屈折力を有する第５レンズ群Ｌ５とからなり、第１レンズ群の最も物体側に、負の屈折力を有するレンズ素子を配し、絞りＳを、第１レンズ群と第２レンズ群との間に配し、フォーカシングに際して、第２レンズ群と第４レンズ群とが像側に移動するとともに、第１レンズ群と第３レンズ群と第５レンズ群とが像面に対して固定であり、所定の条件式を満足する。【選択図】図１
2019191229.tif 000002
【特許請求の範囲】
【請求項１】
物体側から像側へ順に、
正の屈折力を有する第１レンズ群Ｌ１と、
負の屈折力を有する第２レンズ群Ｌ２と、
正の屈折力を有する第３レンズ群Ｌ３と、
負の屈折力を有する第４レンズ群Ｌ４と、
正又は負の屈折力を有する第５レンズ群Ｌ５と、
からなり、
前記第１レンズ群Ｌ１の、最も物体側に、負の屈折力を有するレンズ素子を配し、
絞りＳを、前記第１レンズ群Ｌ１と前記第２レンズ群Ｌ２との間に配し、
フォーカシングに際して、前記第２レンズ群Ｌ２と前記第４レンズ群Ｌ４とが像側に移動するとともに、前記第１レンズ群Ｌ１と、前記第３レンズ群Ｌ３と、前記第５レンズ群Ｌ５とが像面に対して固定であり、以下の条件式を満足することを特徴とする結像光学系
Ｙ／Ｂｆ  ＞  ０．８０      （１）
１．１１  ＜  ｅｘｐ／ｆ     （２）
但し、
Ｙは最大像高、
Ｂｆは第５レンズ群Ｌ５の最も像側の面の面頂から像面までの距離、
ｅｘｐは無限遠合焦時の射出瞳面から像面までの距離、
ｆは無限遠合焦時のレンズ全系の焦点距離である。
【請求項２】
前記第４レンズ群Ｌ４は、フォーカシングの際に像側に移動すると共にウォブリング駆動を行い、以下の条件式を満足することを特徴とする請求項１記載の結像光学系
０．８５  ＜  β４ｂ＾２×（β４＾２−１）  ＜  ３．６２ （３）
０．３９  ＜  β４ｂ／β４  ＜  ０．９１   （４）
但し、
β４は無限遠合焦時の前記第４レンズ群Ｌ４の横倍率、
β４ｂは無限遠合焦時の前記第４レンズ群Ｌ４よりも像側に位置するレンズ系の横倍率である。
【請求項３】
前記第４レンズ群Ｌ４は単レンズであり以下の条件式を満足することを特徴とする請求項１又は２記載の結像光学系
ｄ４  ＜  ２．９５      （５）
０．１８  ＜  ｄｆ４／ＬＴ     （６）
但し、
ｄ４は前記第４レンズ群Ｌ４の比重、
ｄｆ４は無限遠合焦時での前記第４レンズ群Ｌ４の最も像側の面の面頂から像面までの距離、
ＬＴは前記第１レンズ群Ｌ１の最も物体側の面の面頂から像面までの距離である。
【請求項４】
以下の条件式を満足することを特徴とする請求項１乃至３記載の結像光学系
−１１．６３  ＜  ｆ２／ｆ  ＜  −１．２３   （７）
但し、
ｆ２は前記第２レンズ群の焦点距離、
ｆはレンズ全系の無限遠合焦時の焦点距離である。
【請求項５】
前記第２レンズ群Ｌ２は、負の屈折力を有するレンズ素子のみからなる、又は、物体側から像側へ順に負の屈折力を有するレンズ素子Ｌ２ｍと、正の屈折力を有するレンズ素子Ｌ２ｐを含み、前記正レンズ素子Ｌ２ｐが以下の条件式を満足することを特徴とする請求項１乃至４記載の結像光学系
νｄＬ２ｐ  ＜  ３０      （８）
０．００９０  ＜  ΔＰｇｆＬ２ｐ    （９）
但し、
ΔＰｇｆＬ２ｐは前記正レンズ素子Ｌ２ｐの異常分散性であり、以下の式で表される。
ΔＰｇｆＬ２ｐ  ＝  ＰｇｆＬ２ｐ  ＋  ０．００１８×νｄＬ２ｐ  ―  ０．６４８３３
但し、
νｄＬ２ｐは前記正レンズ素子Ｌ２ｐのアッベ数νｄ、
ＰｇｆＬ２ｐは前記正レンズ素子Ｌ２ｐのｇ線とＦ線に関する部分分散比Ｐｇｆである。
【請求項６】
前記第３レンズ群Ｌ３の一部のレンズ成分Ｌｏｓを光軸に対して垂直方向成分を持つように移動させることで、光軸と垂直方向に像を移動させることを特徴とする請求項１乃至５記載の結像光学系。
【発明の詳細な説明】
【技術分野】
【０００１】
本発明は、デジタルカメラ、銀塩カメラ及びビデオカメラ等に最適であり、特に、画角が６２°〜９８°程度で、バックフォーカスの短いミラーレスカメラに最適な結像光学系に関する。
【０００２】
ミラーレスカメラの合焦方法の一つとして、コントラストＡＦがある。コントラストＡＦでは、フォーカスレンズをウォブリング駆動させることで、合焦位置検出を行う。
【０００３】
ウォブリング駆動とは、合焦のずれ方向を検出するために、フォーカス群を光軸方向に高速に微小移動させることである。このウォブリングの際に像倍率変動が大きいと、画面上で被写体の大きさが変化するため、特に動画時に画像の品質を著しく悪化させてしまう。従って、ウォブリングの際には像倍率変動を小さくする必要がある。
【背景技術】
【０００４】
以下の特許文献において従来の結像光学系が開示されている。
【０００５】
特許文献１では、画角が６６°〜７７°程度で、バックフォーカスが短い結像光学系が開示されている。
【０００６】
また、特許文献２では、画角が７２°程度で、バックフォーカスが短い結像光学系が開示されている。
【先行技術文献】
【特許文献】
【０００７】
【特許文献１】国際公開ＷＯ２０１６／０５６３１０号公報
【特許文献２】特開２０１５−４１０１２号公報
【発明の概要】
【発明が解決しようとする課題】
【０００８】
しかしながら、特許文献１や２で開示されている結像光学系では、フォーカス群をウォブリングさせた際の像倍率変動が大きいという問題がある。
【０００９】
そこで、本発明は、従来の結像光学系の課題を解決し、ウォブリング時の像倍率変動を抑え、レンズ軽量化により高精度なウォブリング動作を可能とすると共に、良好な光学性能を得ることが可能で、ミラーレスカメラに最適な結像光学系を提供することを目的とする。
【課題を解決するための手段】
【００１０】
上記の課題を解決するために、本発明の結像光学系は、物体側から像側へ順に、正の屈折力を有する第１レンズ群Ｌ１と、負の屈折力を有する第２レンズ群Ｌ２と、正の屈折力を有する第３レンズ群Ｌ３と、負の屈折力を有する第４レンズ群Ｌ４と、正又は負の屈折力を有する第５レンズ群Ｌ５と、からなり、前記第１レンズ群Ｌ１の、最も物体側に、負の屈折力を有するレンズ素子を配し、絞りＳを、前記第１レンズ群Ｌ１と前記第２レンズ群Ｌ２との間に配し、フォーカシングに際して、前記第２レンズ群Ｌ２と前記第４レンズ群Ｌ４とが像側に移動するとともに、前記第１レンズ群Ｌ１と、前記第３レンズ群Ｌ３と、前記第５レンズ群Ｌ５とが像面に対して固定であり、以下の条件式を満足することを特徴とする結像光学系である。
Ｙ／Ｂｆ  ＞  ０．８０      （１）
１．１１  ＜  ｅｘｐ／ｆ     （２）
但し、
Ｙは最大像高、
Ｂｆは第５レンズ群Ｌ５の最も像側の面の面頂から像面までの距離、
ｅｘｐは無限遠合焦時の射出瞳面から像面までの距離、
ｆは無限遠合焦時のレンズ全系の焦点距離である。
【００１１】
また、第２の発明は、第１の発明においてさらに、前記第４レンズ群Ｌ４は、フォーカシングの際に像側に移動すると共にウォブリング駆動を行い、以下の条件式を満足することを特徴とする結像光学系である。
０．８５  ＜  β４ｂ＾２×（β４＾２−１）  ＜  ３．６２ （３）
０．３９  ＜  β４ｂ／β４  ＜  ０．９１   （４）
但し、
β４は無限遠合焦時の前記第４レンズ群Ｌ４の横倍率、
β４ｂは無限遠合焦時の前記第４レンズ群Ｌ４よりも像側に位置するレンズ系の横倍率である。
【００１２】
また、第３の発明は、第１乃至第２の発明においてさらに、前記第４レンズ群Ｌ４は単レンズであり以下の条件式を満足することを特徴とする結像光学系である。
ｄ４  ＜  ２．９５      （５）
０．１８  ＜  ｄｆ４／ＬＴ     （６）
但し、
ｄ４は前記第４レンズ群Ｌ４の比重、
ｄｆ４は無限遠合焦時での前記第４レンズ群Ｌ４の最も像側の面の面頂から像面までの距離、
ＬＴは前記第１レンズ群Ｌ１の最も物体側の面の面頂から像面までの距離である。
【００１３】
第４の発明は、第１乃至第３の発明においてさらに、以下の条件式を満足することを特徴とする結像光学系とした。
−１１．６３  ＜  ｆ２／ｆ  ＜  −１．２３   （７）
但し、
ｆ２は前記第２レンズ群の焦点距離、
ｆはレンズ全系の無限遠合焦時の焦点距離である。
【００１４】
第５の発明は、第１乃至第４の発明においてさらに、前記第２レンズ群Ｌ２は、負の屈折力を有するレンズ素子のみからなる、又は、物体側から像側へ順に負の屈折力を有するレンズ素子Ｌ２ｍと、正の屈折力を有するレンズ素子Ｌ２ｐを含み、前記正レンズ素子Ｌ２ｐが以下の条件式を満足することを特徴とする結像光学系である。
νｄＬ２ｐ  ＜  ３０      （８）
０．００９０  ＜  ΔＰｇｆＬ２ｐ    （９）
但し、
ΔＰｇｆＬ２ｐは前記正レンズ素子Ｌ２ｐの異常分散性であり、以下の式で表される。
ΔＰｇｆＬ２ｐ  ＝  ＰｇｆＬ２ｐ  ＋  ０．００１８×νｄＬ２ｐ  ―  ０．６４８３３
但し、
νｄＬ２ｐは前記正レンズ素子Ｌ２ｐのアッベ数νｄ、
ＰｇｆＬ２ｐは前記正レンズ素子Ｌ２ｐのｇ線とＦ線に関する部分分散比Ｐｇｆである。
【００１５】
第６の発明は、第１乃至第５の発明においてさらに、前記第３レンズ群Ｌ３の一部のレンズ成分Ｌｏｓを光軸に対して垂直方向成分を持つように移動させることで、光軸と垂直方向に像を移動させることを特徴とする結像光学系である。
【発明の効果】
【００１６】
本発明によれば、従来の結像光学系の課題であったウォブリング時の像倍率変動を抑制し、バックフォーカスの短いミラーレスカメラに最適な結像光学系を提供することができる。
【図面の簡単な説明】
【００１７】
【図１】本発明の実施例１に係る無限遠合焦時のレンズ構成図である。
【図２】本発明の実施例１に係る無限遠合焦時の縦収差図である。
【図３】本発明の実施例１に係る撮影距離１４６２ｍｍにおける縦収差図である。
【図４】本発明の実施例１に係る無限遠合焦時の横収差図である。
【図５】本発明の実施例１に係る撮影距離１４６２ｍｍにおける横収差図である。
【図６】本発明の実施例２に係る無限遠合焦時のレンズ構成図である。
【図７】本発明の実施例２に係る無限遠合焦時の縦収差図である。
【図８】本発明の実施例２に係る撮影距離１４６２ｍｍにおける縦収差図である。
【図９】本発明の実施例２に係る無限遠合焦時の横収差図である。
【図１０】本発明の実施例２に係る撮影距離１４６２ｍｍにおける横収差図である。
【図１１】本発明の実施例３に係る無限遠合焦時のレンズ構成図である。
【図１２】本発明の実施例３に係る無限遠合焦時の縦収差図である。
【図１３】本発明の実施例３に係る撮影距離１４２３ｍｍにおける縦収差図である。
【図１４】本発明の実施例３に係る無限遠合焦時の横収差図である。
【図１５】本発明の実施例３に係る撮影距離１４２３ｍｍにおける横収差図である。
【図１６】本発明の実施例４に係る無限遠合焦時のレンズ構成図である。
【図１７】本発明の実施例４に係る無限遠合焦時の縦収差図である。
【図１８】本発明の実施例４に係る撮影距離１４４３ｍｍにおける縦収差図である。
【図１９】本発明の実施例４に係る無限遠合焦時の横収差図である。
【図２０】本発明の実施例４に係る撮影距離１４４３ｍｍにおける横収差図である。
【図２１】本発明の実施例５に係る無限遠合焦時のレンズ構成図である。
【図２２】本発明の実施例５に係る無限遠合焦時の縦収差図である。
【図２３】本発明の実施例５に係る撮影距離１４３６ｍｍにおける縦収差図である。
【図２４】本発明の実施例５に係る無限遠合焦時の横収差図である。
【図２５】本発明の実施例５に係る撮影距離１４３６ｍｍにおける横収差図である。
【図２６】本発明の実施例６に係る無限遠合焦時のレンズ構成図である。
【図２７】本発明の実施例６に係る無限遠合焦時の縦収差図である。
【図２８】本発明の実施例６に係る撮影距離１４６３ｍｍにおける縦収差図である。
【図２９】本発明の実施例６に係る無限遠合焦時の横収差図である。
【図３０】本発明の実施例６に係る撮影距離１４６３ｍｍにおける横収差図である。
【図３１】本発明の実施例７に係る無限遠合焦時のレンズ構成図である。
【図３２】本発明の実施例７に係る無限遠合焦時の縦収差図である。
【図３３】本発明の実施例７に係る撮影距離１４６７ｍｍにおける縦収差図である。
【図３４】本発明の実施例７に係る無限遠合焦時の横収差図である。
【図３５】本発明の実施例７に係る撮影距離１４６７ｍｍにおける横収差図である。
【図３６】本発明の実施例８に係る無限遠合焦時のレンズ構成図である。
【図３７】本発明の実施例８に係る無限遠合焦時の縦収差図である。
【図３８】本発明の実施例８に係る撮影距離１４６６ｍｍにおける縦収差図である。
【図３９】本発明の実施例８に係る無限遠合焦時の横収差図である。
【図４０】本発明の実施例８に係る撮影距離１４６６ｍｍにおける横収差図である。
【図４１】本発明の実施例９に係る無限遠合焦時のレンズ構成図である。
【図４２】本発明の実施例９に係る無限遠合焦時の縦収差図である。
【図４３】本発明の実施例９に係る撮影距離１４４３ｍｍにおける縦収差図である。
【図４４】本発明の実施例９に係る無限遠合焦時の横収差図である。
【図４５】本発明の実施例９に係る撮影距離１４４３ｍｍにおける横収差図である。
【図４６】本発明の実施例９に係る無限遠合焦時における０．３°手振れ補正時の横収差図である。
【図４７】本発明の実施例１０に係る無限遠合焦時のレンズ構成図である。
【図４８】本発明の実施例１０に係る無限遠合焦時の縦収差図である。
【図４９】本発明の実施例１０に係る撮影距離１４６４ｍｍにおける縦収差図である。
【図５０】本発明の実施例１０に係る無限遠合焦時の横収差図である。
【図５１】本発明の実施例１０に係る撮影距離１４６４ｍｍにおける横収差図である。
【図５２】本発明の実施例１０に係る無限遠合焦時における０．３°手振れ補正時の横収差
【図５３】本発明の実施例１１に係る無限遠合焦時のレンズ構成図である。
【図５４】本発明の実施例１１に係る無限遠合焦時の縦収差図である。
【図５５】本発明の実施例１１に係る撮影距離１４６４ｍｍにおける縦収差図である。
【図５６】本発明の実施例１１に係る無限遠合焦時の横収差図である。
【図５７】本発明の実施例１１に係る撮影距離１４６４ｍｍにおける横収差図である。
【図５８】本発明の実施例１１に係る無限遠合焦時における０．３°手振れ補正時の横収差
【図５９】本発明の実施例１２に係る無限遠合焦時のレンズ構成図である。
【図６０】本発明の実施例１２に係る無限遠合焦時の縦収差図である。
【図６１】本発明の実施例１２に係る撮影距離１０８６ｍｍにおける縦収差図である。
【図６２】本発明の実施例１２に係る無限遠合焦時の横収差図である。
【図６３】本発明の実施例１２に係る撮影距離１０８６ｍｍにおける横収差図である。
【図６４】本発明の実施例１３に係る無限遠合焦時のレンズ構成図である。
【図６５】本発明の実施例１３に係る無限遠合焦時の縦収差図である。
【図６６】本発明の実施例１３に係る撮影距離９１９ｍｍにおける縦収差図である。
【図６７】本発明の実施例１３に係る無限遠合焦時の横収差図である。
【図６８】本発明の実施例１３に係る撮影距離９１９ｍｍにおける横収差図である。
【発明を実施するための形態】
【００１８】
以下に、本発明にかかる光学系の実施例について詳細に説明する。なお、以下の実施例の説明は本発明の光学系の一例を説明したものであり、本発明はその要旨を逸脱しない範囲において本実施例に限定されるものではない。
【００１９】
本実施例の結像光学系は、物体側から像側へ順に、正の屈折力を有する第１レンズ群Ｌ１と、負の屈折力を有する第２レンズ群Ｌ２と、正の屈折力を有する第３レンズ群Ｌ３と負の屈折力を有する第４レンズ群Ｌ４と、正又は負の屈折力を有する第５レンズ群Ｌ５と、からなり、前記第１レンズ群Ｌ１の、最も物体側に、負の屈折力を有するレンズ素子を配し、絞りＳを、前記第１レンズ群Ｌ１と前記第２レンズ群Ｌ２との間に配し、フォーカシングに際して、前記第２レンズ群Ｌ２と前記第４レンズ群Ｌ４とが像側に移動するとともに、前記第１レンズ群Ｌ１と、前記第３レンズ群Ｌ３と、前記第５レンズ群Ｌ５とが像面に対して固定であり、以下の条件式を満足することを特徴とする。
Ｙ／Ｂｆ  ＞  ０．８０      （１）
１．１１  ＜  ｅｘｐ／ｆ     （２）
但し、
Ｙは最大像高、
Ｂｆは第５レンズ群Ｌ５の最も像側の面の面頂から像面までの距離、
ｅｘｐは無限遠合焦時の射出瞳面から像面までの距離、
ｆは無限遠合焦時のレンズ全系の焦点距離である。
【００２０】
条件式（１）は、小型化のために、レンズ全系のバックフォーカスを規定したものである
【００２１】
条件式（１）の下限値を超え、レンズ全系のバックフォーカスが長くなると、レンズ全系の全長が長くなるため、小型化に不利となる。
【００２２】
なお、上述した条件式（１）について、下限値を０．８９に規定することで、前述の効果をより確実にすることができる。
【００２３】
条件式（２）は、像面への周辺像高の主光線入射角を規制するため、レンズ全系の無限遠合焦時の射出瞳位置を規定したものである。
【００２４】
条件式（２）の下限値を超え、射出瞳位置が像面へ近づくと、像面への周辺像高の主光線入射角がきつくなり、単位像面ズレ量に対する像高変動量が大きくなるため、ウォブリング時の像倍率変動が大きくなってしまう。
【００２５】
なお、上述した条件式（２）について、その下限値は１．３１に限定することで、前述の効果をより確実にすることができる。
【００２６】
さらに、前記第４レンズ群Ｌ４は、フォーカシングの際に像側に移動すると共にウォブリング駆動を行い、以下の条件式を満足することを特徴とする。
０．８５  ＜  β４ｂ＾２×（β４＾２−１）  ＜  ３．６２ （３）
０．３９  ＜  β４ｂ／β４  ＜  ０．９１   （４）
但し、
β４は無限遠合焦時の前記第４レンズ群Ｌ４の横倍率、
β４ｂは無限遠合焦時の前記第４レンズ群Ｌ４よりも像側に位置するレンズ系の横倍率である。
【００２７】
条件式（３）は、フォーカシングに際する前記第４レンズ群Ｌ４の最適な移動量を決定するために、フォーカス敏感度を規定したものである。
【００２８】
フォーカス敏感度ｋは、フォーカス群の光軸に沿った移動量Δｓに対する像面移動量Δｆｂの比であり、以下の式（参考式ａ）で表すことができる。
ｋ＝Δｆｂ／Δｓ＝βｂｆ＾２（βｆ＾２−１）  （参考式ａ）
但し、
ｋはフォーカス敏感度、
Δｆｂは像面移動量、
Δｓはフォーカス群の光軸に沿った移動量、
βｂｆは無限遠合焦時のフォーカス群よりも像側に位置するレンズ系の横倍率、
βｆは無限遠合焦時のフォーカス群の横倍率である。
【００２９】
参考式ａから、フォーカス群の横倍率βｆが等倍から離れるにつれ、フォーカス敏感度ｋが大きくなることがわかる。フォーカス敏感度ｋが大きくなることで、同じ像面移動量Δｆｂに対するフォーカス群の光軸に沿った移動量Δｓを小さくすることができるため全長方向の小型化が有利になる。但し、条件式（３）の上限値を超えフォーカス敏感度が大きくなると、フォーカス時の球面収差、非点収差変動が大きくなるだけでなく、製造誤差による性能劣化が大きくなり、これを良好に補正することが困難となる。
【００３０】
また、条件式（３）の下限値を超え、フォーカス敏感度が小さくなると、収差補正上は有利になるが、フォーカス時の移動量が増大し、フォーカス群前後の光軸方向の間隔をより確保することが必要となり、レンズ全系の全長が長くなるため、小型化が困難となる。
【００３１】
なお、上述した条件式（３）について、その下限値は１．００に、また上限値は３．０６に限定することで、前述の効果をより確実にすることができる。
【００３２】
条件式（４）は高性能化、及びウォブリング時の像面における像倍率変動を抑えるために、前記第４レンズ群Ｌ４の無限遠合焦時の横倍率と、前記第４レンズ群Ｌ４よりも像側に位置するレンズ系の無限遠合焦時の横倍率との比を規定したものである。
【００３３】
条件式（３）で規定したフォーカス敏感度を確保しつつ、条件式（４）の下限値を超え、前記第４レンズ群Ｌ４と、前記第４レンズ群Ｌ４よりも像側に位置するレンズ系の無限遠合焦時での横倍率との比が小さくなると、フォーカス群である前記第４レンズ群Ｌ４の倍率負担が相対的に大きくなるため、ウォブリング時の像倍率変動が大きくなってしまう。
【００３４】
条件式（３）で規定したフォーカス敏感度を確保しつつ、条件式（４）の上限値を超え、第４レンズ群Ｌ４と、第４レンズ群Ｌ４よりも像側に位置するレンズ系の無限遠合焦時の横倍率との比が大きくなると、ウォブリング時の像倍率変動抑制には有利になるが、前記第４レンズ群Ｌ４よりも像側に位置するレンズ系での倍率負担が大きくなるため、前記第１レンズ群Ｌ１から前記第４レンズ群Ｌ４で発生する諸収差を拡大してしまうこととなり、これをレンズ全系で良好に補正することが困難となる。
【００３５】
なお、上述した条件式（４）について、その下限値は０．４６に、また上限値は０．７７に限定することで、前述の効果をより確実にすることができる。
【００３６】
さらに、前記第４レンズ群Ｌ４は単レンズであり以下の条件式を満足することを特徴とする。
ｄ４  ＜  ２．９５      （５）
０．１８  ＜  ｄｆ４／ＬＴ     （６）
但し、
ｄ４は前記第４レンズ群Ｌ４の比重、
ｄｆ４は無限遠合焦時での前記第４レンズ群Ｌ４の最も像側の面の面頂から像面までの距離、
ＬＴは前記第１レンズ群Ｌ１の最も物体側の面の面頂から像面までの距離である。
【００３７】
条件式（５）は、ウォブリング群である前記第４レンズ群Ｌ４の軽量化、及び、製品の小型化のため、前記第４レンズ群Ｌ４のレンズに使用する硝材の比重を規定したものである。
【００３８】
ウォブリング動作を行うためのアクチュエータとして、一般的に、ボイスコイルモータや、リニアモータ等が用いられており、これらのアクチュエータを用いウォブリング動作を高速かつ高精度に行うためには、アクチュエータへの負担を軽減するため、レンズを軽量化する必要がある。
【００３９】
条件式（５）の上限値を超え、前記第４レンズ群Ｌ４の比重が大きくなると、レンズ重量が増大するため、高速かつ高精度なウォブリング動作を行うことが困難となる。また、レンズ重量が増大した状態でウォブリング動作を行おうとした場合、アクチュエータの推力を大きくする必要があり、そのためには、例えば、コイルの巻き数を増やす、磁力を増やすため磁石を大きくする、といった対策を行うのが一般的である。しかしこのような対策を行うとアクチュエータ自体の大型化、更には製品サイズの増大を招いてしまうため、レンズ重量の増大は好ましくない。
【００４０】
なお、上述した条件式（５）について、上限値は２．８０に限定することで、前述の効果をより確実にすることができる。
【００４１】
条件式（６）は、ウォブリング群である前記第４レンズ群Ｌ４の径を規制するため、前記第４レンズ群Ｌ４の位置を規定したものである。
【００４２】
条件式（６）の下限値を超え、前記第４レンズ群Ｌ４が像側に近づくと、前記第４レンズ群Ｌ４での周辺像高の光線高が上がり、前記第４レンズ群Ｌ４の径が増大するため、重量が増加してしまう。これにより、高速かつ高精度なウォブリング動作を行うことが困難となる。
【００４３】
なお、上述した条件式（６）について、下限値は０．２１に限定することで、前述の効果をより確実にすることができる。
【００４４】
さらに、以下の条件式を満足することを特徴とする。
−１１．６３  ＜  ｆ２／ｆ  ＜  −１．２３   （７）
但し、
ｆ２は前記第２レンズ群の焦点距離、
ｆはレンズ全系の無限遠合焦時の焦点距離である。
【００４５】
条件式（７）は、小型化と高性能化のため、前記第２レンズ群Ｌ２の焦点距離を規定したものである。
【００４６】
条件式（７）の下限値を超え、前記第２レンズ群Ｌ２の焦点距離が短くなると、フォーカシングに際する移動量が小さくなるため、小型化には有利になるが、フォーカシングに際する非点収差等、諸収差の変動が増大するだけでなく、製造誤差敏感度が大きくなるため、高性能化に不利となる。
【００４７】
条件式（７）の上限値を超え、前記第２レンズ群Ｌ２の焦点距離が長くなると、フォーカシングの際の諸収差の変動が軽減するため、高性能化には有利となるが、フォーカシングに際する移動量が増大するため、小型化には不利となる。
【００４８】
なお、上述した条件式（７）について、その下限値は―９．８４に、また上限値は―１．４５に限定することで、前述の効果をより確実にすることができる。
【００４９】
さらに、前記第２レンズ群Ｌ２は、負の屈折力を有するレンズ素子のみからなる、又は、物体側から像側へ順に負の屈折力を有するレンズ素子Ｌ２ｍと、正の屈折力を有するレンズ素子Ｌ２ｐを含み、前記正レンズ素子Ｌ２ｐが以下の条件式を満足することを特徴とする。
νｄＬ２ｐ  ＜  ３０     （８）
０．００９０  ＜  ΔＰｇｆＬ２ｐ   （９）
但し、
ΔＰｇｆＬ２ｐは前記正レンズ素子Ｌ２ｐの異常分散性であり、以下の式で表される。
ΔＰｇｆＬ２ｐ  ＝  ＰｇｆＬ２ｐ  ＋  ０．００１８×νｄＬ２ｐ  ―  ０．６４８３３
但し、
νｄＬ２ｐは前記正レンズ素子Ｌ２ｐのアッベ数νｄ、
ＰｇｆＬ２ｐは前記正レンズ素子Ｌ２ｐの部分分散比Ｐｇｆである。
【００５０】
条件式（８）及び（９）は、高性能化のため、前記正レンズ素子Ｌ２ｐのアッベ数νｄと異常分散性ΔＰｇｆを規定したものである。
【００５１】
なお、ｇ線、Ｆ線、ｄ線、Ｃ線、の屈折率をそれぞれ、Ｎｇ、ＮＦ、Ｎｄ、ＮＣとした場合、アッベ数νｄと部分分散比Ｐｇｆはそれぞれ以下の式で表す。
νｄ  ＝  （Ｎｄ−１）／（ＮＦ−ＮＣ）
Ｐｇｆ  ＝  （Ｎｇ−ＮＦ）／（ＮＦ−ＮＣ）
【００５２】
条件式（８）の上限値を超えると共に条件式（９）の下限値を超え、前記正レンズ素子Ｌ２ｐのアッベ数νｄが大きくなると共に異常分散性ΔＰｇｆが小さくなると、特に、２次スペクトルの補正が不足することで、軸上色収差が悪化してしまう。
【００５３】
なお、条件式（８）の上限値は２７、条件式（９）の下限値を０．０１００に限定することで、前述の効果をより確実にすることができる。
【００５４】
さらに、前記第３レンズ群Ｌ３の一部のレンズ成分Ｌｏｓを光軸に対して垂直方向成分を持つように移動させることで、光軸と垂直方向に像を移動させることを特徴とする。
【００５５】
前記第３レンズ群Ｌ３は、レンズ全系の中で、比較的光線高が低く、レンズ径を抑えることができるため、当該群の一部で防振を行うことは、防振ユニットの小型化及び製品外径の小型化を行うことに有利となる。
【００５６】
また、以下の条件式を満足することが好ましい
０．２９  ＜  ｜βｏｓｂ×（１−βｏｓ）｜  ＜  ０．７８ （１０）
但し、
βｏｓは無限遠合焦時の前記レンズ成分Ｌｏｓの横倍率、
βｏｓｂは無限遠合焦時の前記レンズ成分Ｌｏｓよりも像側に位置するレンズ系の横倍率である。
【００５７】
条件式（１０）は防振群の最適な移動量を決定するために、防振群の防振係数を規定したものである。
【００５８】
防振係数ｋｏｓは防振群の移動量Δｘに対する像面での像ブレ補正量Δｙの比であり、以下の参考式ｂで表わすことができる。
ｋｏｓ＝Δｙ／Δｘ＝βｏｓｂ×（１−βｏｓ）  （参考式ｂ）
但し、
ｋｏｓは防振係数、
Δｙは像面での像ブレ補正量、
Δｘは防振群の移動量、
βｏｓｂは防振群よりも像側に位置するレンズ系の横倍率、
βｏｓは防振群の横倍率である。
【００５９】
参考式ｂから、防振群の横倍率βｏｓが等倍から離れると防振係数ｋｏｓは大きくなることがわかる。防振係数ｋｏｓが大きくなることで、同じ像ブレ補正量Δｙに対して防振群の移動量Δｘを小さくできるため、防振ユニット径を小さくでき、製品径の小型化に有利になる。但し、条件式（１０）の上限値を超えて防振係数が大きくなると、前述の通り小型化に関しては有利になるが、防振時の偏芯コマ収差、倍率色収差変動が大きくなり、これを良好に補正することが困難となる。
【００６０】
また、（１０）の下限値を超え防振係数が小さくなると、同じ像ブレ補正量Δｙに対して防振群の移動量Δｘが大きくなるため、防振ユニット径が増大し、製品径の小型化が困難となる。
【００６１】
なお、上述した条件式（１０）について、その下限値は０．３５に、また上限値は０．６６に限定することで、前述の効果をより確実にすることができる。
【００６２】
また、以下の条件式を満足することが好ましい
β１ｂ  ＜  １．６６     （１１）
但し、
β１ｂは無限遠合焦時の前記第１レンズ群Ｌ１よりも像側に位置するレンズ系の横倍率である。
【００６３】
条件式（１１）は、高性能化のため、前記第１レンズ群Ｌ１よりも像側に位置するレンズ系の横倍率を規定したものである。
【００６４】
条件式（１１）の上限値を超え、前記第１レンズ群Ｌ１よりも像側に位置するレンズ系の横倍率が大きくなると、前記第１レンズ群Ｌ１で発生した収差が拡大され、これをレンズ全系で補正することが困難となるため、高性能化には不利となる。
【００６５】
なお、条件式（１１）の上限値は１．４０、に限定することで、前述の効果をより確実にすることができる。
【００６６】
また、よりウォブリング時の像倍率変動を抑えるための手段として、フォーカシング時に、前記第４レンズ群Ｌ４をウォブリング動作させると同時に、もう一つのフォーカス群である前記第２レンズ群Ｌ２を、前記第４レンズ群Ｌ４をウォブリング動作させた際に発生する像倍率変動をキャンセルするよう同期させてウォブリング動作させてもよい。
【００６７】
また、フォーカシングに際して、前記第２レンズ群Ｌ２と、前記第４レンズ群Ｌ４とは、それぞれ異なる移動量、又は同じ移動量、どちらで像側に移動してもよい。
【００６８】
以下、本発明にかかる結像光学系の実施例１乃至１３の数値データを示す。
【００６９】
［面データ］において、面番号は物体側から数えたレンズ面又は開口絞りの番号、ｒは各面の曲率半径、ｄは各面の間隔、ｎｄはｄ線（波長λ＝５８７．５６ｎｍ）に対する屈折率、νｄはｄ線に対するアッベ数を示す。また、ＢＦはバックフォーカスを表す。
【００７０】
面番号を付した（絞り）には、平面または開口絞りに対する曲率半径∞（無限大）を記入している。
【００７１】
［非球面データ］には［面データ］において＊を付したレンズ面の非球面形状を与える各係数値を示している。非球面の形状は、光軸に直交する方向への変位をｙ、非球面と光軸の交点から光軸方向への変位（サグ量）をｚ、コーニック係数をＫ、４、６、８、１０、１２次の非球面係数をそれぞれＡ４、Ａ６、Ａ８、Ａ１０、Ａ１２と置くとき、非球面の座標が以下の式で表わされるものとする。
【００７２】
2019191229.tif 000003
【００７３】
［各種データ］には、各焦点距離状態における焦点距離等の値を示している。
【００７４】
［可変間隔データ］には、各焦点距離状態における可変間隔及びＢＦ（バックフォーカス）の値を示している。
【００７５】
［レンズ群データ］には、各レンズ群を構成する最も物体側の面番号及び群全体の合成焦点距離を示している。なお、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同等の光学性能が得られるので、これに限られるものではない。
【００７６】
また、各実施例に対応する収差図において、ｄ、ｇ、Ｃはそれぞれｄ線、ｇ線、Ｃ線を表しており、ΔＳ、ΔＭはそれぞれサジタル像面、メリジオナル像面を表している。さらに図１、６、１１、１６、２１、２６、３１、３６、４１、４７、５３、５９、６４に示すレンズ構成図において、Ｓは開口絞り、Ｉは像面、ＬＰＦはローパスフィルター、中心を通る一点鎖線は光軸である。
【００７７】
以下に、各実施例に係る結像光学系の諸元値を示す。［面データ］において、第１列は物体側から数えたレンズ面の順番、第２列のｒはレンズ面の曲率半径、第３列ｄはレンズ面間隔、第４列ｎｄはｄ線（波長λ＝５８７．５６ｎｍ）での屈折率、第５列νｄはｄ線（波長λ＝５８７．５６ｎｍ）でのアッベ数を表す。またｒ＝∞は平面を表し、（ＢＦ）はバックフォーカス、（絞り）は絞り面を示し、空気の屈折率ｎ＝１．００００はその記載を省略する。
【実施例１】
【００７８】
図１は、実施例１に係る結像光学系の無限遠合焦時のレンズ構成図である。実施例１の結像光学系は、フォーカス時に固定の正の屈折力の第１レンズ群Ｌ１と、フォーカス時に像側に移動する負の屈折力の第２レンズ群Ｌ２と、フォーカス時に固定の正の屈折力の第３レンズ群Ｌ３と、フォーカス時に像側に移動すると共にウォブリング動作を行う負の屈折力の第４レンズ群Ｌ４と、フォーカス時に固定の負の屈折力の第５レンズ群Ｌ５とから構成される。
【００７９】
第１レンズ群Ｌ１は、物体側から像側へ順に、物体側に凸面を向けた凹メニスカスレンズと、両凸レンズと、物体側に凸面を向けた凹メニスカスレンズと、Ｒ１面側が非球面の両凸レンズと両凹レンズの接合レンズと、両凹レンズと両凸レンズの接合レンズと、両凸レンズとから構成される。
【００８０】
第２レンズ群Ｌ２は、物体側に凸面を向けた凹メニスカスレンズで構成される。
【００８１】
第３レンズ群Ｌ３は、物体側に凸面を向けた凸メニスカスレンズと、両凹レンズと、Ｒ１、Ｒ２両面が非球面の両凸レンズとから構成される。
【００８２】
第４レンズ群Ｌ４は、両凹レンズで構成される。
【００８３】
第５レンズ群Ｌ５は、Ｒ１、Ｒ２両面が非球面の両凸レンズと、両凹レンズとから構成される。
【００８４】
実施例１に係る結像光学系において、フォーカシングに際し、前記第２レンズ群Ｌ２と、前記第４レンズ群Ｌ４とは、それぞれ異なる移動量で像側に移動する。
【００８５】
続いて、以下に実施例１に係る結像光学系の諸元値を示す。
【００８６】
数値実施例１
単位：mm
[面データ]
面番号            r              d               nd             vd
物面                 ∞           (d0)
1             251.3513         1.5000        1.55032          75.50
2              31.6062        12.4358
3              40.7723        10.9110        1.90043          37.37
4            -817.4456         0.5000
5             217.8110         1.5000        1.49700          81.61
6              24.6320         6.4367
7*             59.3837         3.9232        1.80610          40.73
8            -425.3450         1.0000        1.54072          47.20
9              33.0970         6.2288
10             -71.9715         3.3564        1.73800          32.33
11              28.8721        10.6767        1.59282          68.63
12             -45.8337         0.1500
13              48.0922        10.0619        1.49700          81.61
14             -39.6007         2.5000
15（絞り）           ∞            d15
16            6756.8455         1.0000        1.48749          70.45
17              34.8166            d17
18              32.0730         3.9129        1.59349          67.00
19              57.4315         3.9420
20             -96.3418         0.8000        1.76182          26.61
21              65.0167         1.6768
22*             46.4217         7.7901        1.85135          40.10
23*            -32.2722            d23
24           -1231.7096         0.8000        1.54072          47.20
25              37.9997            d25
26*             46.2818         5.4206        1.77250          49.50
27*           -139.7303         0.8081
28             -84.5041         1.0000        1.80610          40.73
29              55.0055        17.6709
30                   ∞         2.5000        1.51680          64.20
31                   ∞             BF
像面                 ∞
[非球面データ]
7面           22面           23面           26面           27面
K     0.0000E+00     0.0000E+00     0.0000E+00     0.0000E+00     0.0000E+00
A4    -4.4698E-06    -4.2248E-06     9.7069E-06    -1.3938E-05    -2.1510E-05
A6    -2.9623E-09    -2.2598E-09    -1.0083E-09     3.5550E-08     6.4067E-08
A8    -4.2319E-12     9.5838E-12    -8.2539E-13    -1.5705E-10    -2.0117E-10
A10     1.4627E-14    -3.1731E-15     1.8023E-14     3.3297E-13     3.8189E-13
A12     0.0000E+00     0.0000E+00     0.0000E+00     0.0000E+00     0.0000E+00
[各種データ]
INF 
焦点距離             33.97
Fナンバー             1.46
全画角2ω            68.23
像高Y              21.63
レンズ全長           139.00
[可変間隔データ]
INF      撮影距離1462mm
d0              ∞           1323.1999 
d15          2.5000              3.4667
ｄ17          9.5392              8.5725
ｄ23          1.5000              1.8015
ｄ25          5.9588              5.6573
BF          1.0000              1.0000
[レンズ群データ]
群            始面             焦点距離
L1              1                 44.60
L2             16                -71.79
L3             18                 31.68
L4             24                -68.16
L5             26              -2054.14
【実施例２】
【００８７】
図６は、実施例２に係る結像光学系の無限遠合焦時のレンズ構成図である。実施例２の結像光学系は、フォーカス時に固定の正の屈折力の第１レンズ群Ｌ１と、フォーカス時に像側に移動する負の屈折力の第２レンズ群Ｌ２と、フォーカス時に固定の正の屈折力の第３レンズ群Ｌ３と、フォーカス時に像側に移動すると共にウォブリング動作を行う負の屈折力の第４レンズ群Ｌ４と、フォーカス時に固定の負の屈折力の第５レンズ群Ｌ５とから構成される
【００８８】
第１レンズ群Ｌ１は、物体側から像側へ順に、物体側に凸面を向けた凹メニスカスレンズと、物体側に凸面を向けた凸メニスカスレンズと、物体側に凸面を向けた凹メニスカスレンズと、Ｒ１面側が非球面で物体側に凸面を向けた凹メニスカスレンズと、両凹レンズと両凸レンズの接合レンズと、両凸レンズとから構成される。
【００８９】
第２レンズ群Ｌ２は、物体側に凸面を向けた凹メニスカスレンズで構成される。
【００９０】
第３レンズ群Ｌ３は、両凹レンズと、Ｒ１面側が非球面の両凸レンズと、Ｒ１、Ｒ２両面が非球面の両凸レンズとから構成される。
【００９１】
第４レンズ群Ｌ４は、物体側に凸面を向けた凹メニスカスレンズで構成される。
【００９２】
第５レンズ群Ｌ５は、Ｒ１、Ｒ２両面が非球面の両凸レンズと、両凹レンズとから構成される。
【００９３】
実施例２に係る結像光学系において、フォーカシングに際し、前記第２レンズ群Ｌ２と、前記第４レンズ群Ｌ４とは、それぞれ異なる移動量で像側に移動する。
【００９４】
続いて、以下に実施例２に係る結像光学系の諸元値を示す。
【００９５】
数値実施例２
単位：mm
[面データ]
面番号            r              d               nd             vd
物面                 ∞           (d0)
1             102.9678         1.5000        1.55032          75.50
2              27.0079         9.0496
3              32.3928        10.7614        1.90043          37.37
4             199.2474         0.6138
5              81.0518         1.5000        1.49700          81.61
6              20.2090         9.4331
7*            103.5301         1.0000        1.80610          40.73
8              30.8337         9.1761
9            -433.8176         3.3550        1.73800          32.33
10              30.7043         8.9885        1.59282          68.63
11             -44.0786         0.1500
12              56.5382         8.3924        1.49700          81.61
13             -34.7955         2.5000
14（絞り）           ∞            d14
15             130.0042         1.0000        1.51680          64.20
16              38.0328            d16
17            -114.8044         1.0454        1.54072          47.20
18             288.1088         0.1500
19*             48.4162         4.0151        1.59201          67.02
20            -681.0912         0.2000
21*             72.5324         5.6932        1.77250          49.50
22*            -39.0228            d22
23             397.0432         0.8000        1.54072          47.20
24              24.7424            d24
25*             69.8889         5.9052        1.49710          81.56
26*            -73.4830         0.3493
27             -62.3148         1.0000        1.76200          40.10
28             107.0796        17.5001
29                   ∞         2.5000        1.51680          64.20
30                   ∞             BF
像面                 ∞
[非球面データ]
7面           19面           21面
K        0.0000E+00     0.0000E+00     0.0000E+00
A4       -8.5192E-06    -3.8094E-06     2.5626E-06
A6        1.6483E-09     4.0679E-08    -4.6494E-08
A8        4.7414E-12    -5.2380E-11     2.9200E-11
A10        4.4189E-14     0.0000E+00    -1.4554E-13
A12        0.0000E+00     0.0000E+00     0.0000E+00
22面           25面           26面
K        0.0000E+00     0.0000E+00     0.0000E+00
A4        1.5555E-05     3.0336E-07    -1.0428E-05
A6       -4.0815E-08    -3.2835E-08    -7.4849E-09
A8        6.3209E-11     2.1840E-10     1.3896E-10
A10       -1.9223E-13    -3.0388E-13    -2.4622E-13
A12        0.0000E+00     0.0000E+00     0.0000E+00
[各種データ]
INF
焦点距離             34.00
Fナンバー             1.84
全画角2ω            68.18
像高Y              21.63
レンズ全長           139.00
[可変間隔データ]
INF      撮影距離1462mm
d0                   ∞           1323.2500
d14               2.5000              3.2601
ｄ16              18.9605             18.2004
ｄ22               1.5000              1.7368
ｄ24               8.4614              8.2246
BF               1.0000              1.0000
[レンズ群データ]
群            始面             焦点距離
L1              1                 44.95
L2             15               -104.41
L3             17                 28.12
L4             23                -48.84
L5             25               -199.45
【実施例３】
【００９６】
図１１は、実施例３に係る結像光学系の無限遠合焦時のレンズ構成図である。実施例３の結像光学系は、フォーカス時に固定の正の屈折力の第１レンズ群Ｌ１と、フォーカス時に像側に移動する負の屈折力の第２レンズ群Ｌ２と、フォーカス時に固定の正の屈折力の第３レンズ群Ｌ３と、フォーカス時に像側に移動すると共にウォブリング動作を行う負の屈折力の第４レンズ群Ｌ４と、フォーカス時に固定の負の屈折力の第５レンズ群Ｌ５とから構成される
【００９７】
第１レンズ群Ｌ１は、物体側から像側へ順に、物体側に凸面を向けた凹メニスカスレンズと、両凸レンズと、Ｒ１、Ｒ２両面が非球面の両凸レンズと、物体側に凸面を向けた凹メニスカスレンズと、両凹レンズと両凸レンズの接合レンズと、両凸レンズとから構成される。
【００９８】
第２レンズ群Ｌ２は、物体側に凸面を向けた凹メニスカスレンズで構成される。
【００９９】
第３レンズ群Ｌ３は、物体側に凹面を向けた凸メニスカスレンズと両凹レンズの接合レンズと、Ｒ１、Ｒ２両面が非球面の両凸レンズとから構成される。
【０１００】
第４レンズ群Ｌ４は、物体側に凸面を向けた凹メニスカスレンズで構成される。
【０１０１】
第５レンズ群Ｌ５は、Ｒ１、Ｒ２両面が非球面で物体側に凹面を向けた凸メニスカスレンズと、物体側に凹面を向けた凹メニスカスレンズとから構成される。
【０１０２】
実施例３に係る結像光学系において、フォーカシングに際し、前記第２レンズ群Ｌ２と、前記第４レンズ群Ｌ４とは、それぞれ異なる移動量で像側に移動する。
【０１０３】
続いて、以下に実施例３に係る結像光学系の諸元値を示す。
【０１０４】
数値実施例３
単位：mm
[面データ]
面番号            r              d               nd             vd
物面                 ∞           (d0)
1            1000.0000         1.5000        1.49700          81.61
2              22.6263         7.2382
3             472.2246         3.0397        1.90366          31.32
4            -178.0494         0.2000
5*            105.5934         3.4870        1.77250          49.50
6*            -77.9777         0.1500
7            2005.4058         1.0000        1.54814          45.82
8              29.5160         6.4487
9             -46.6232         1.0000        1.54814          45.82
10              74.2901         6.5021        1.59282          68.63
11             -38.9154         0.1500
12              47.8756         6.3775        1.49700          81.61
13             -33.1775         1.5000
14（絞り）           ∞            d14
15              44.8036         0.8000        1.51823          58.96
16              24.0637            d16
17            -498.7187         4.3120        1.59349          67.00
18             -20.8531         0.8000        1.60342          38.01
19              52.9923         3.3650
20*             46.5653         5.7389        1.77250          49.50
21*            -29.6868            d21
22             159.8389         0.8000        1.54072          47.20
23              26.9184            d23
24*           -932.7851         6.2421        1.49710          81.56
25*            -37.6750         2.6956
26             -22.7491         1.0000        1.51742          52.15
27            -110.1693        11.5001
28                   ∞         2.5000        1.51680          64.20
29                   ∞             BF
像面                 ∞ 
[非球面データ]
5面            6面           20面
K        0.0000E+00     0.0000E+00     0.0000E+00
A4       -1.1367E-05     2.4000E-07    -3.7954E-06
A6        2.5756E-09     1.3535E-08     2.2165E-08
A8        5.5670E-11     5.2598E-12    -1.6365E-10
A10       -9.8793E-14     7.2093E-15    -7.8169E-15
A12        0.0000E+00     0.0000E+00     0.0000E+00
21面           24面           25面
K        0.0000E+00     0.0000E+00     0.0000E+00
A4        1.7461E-05     1.7905E-05    -8.6466E-06
A6       -2.8101E-08    -4.9295E-08    -4.5916E-08
A8        1.0214E-10     5.6297E-11     1.0720E-10
A10       -7.1614E-13    -2.4102E-15    -2.6174E-13
A12        0.0000E+00     0.0000E+00     0.0000E+00
[各種データ]
INF
焦点距離             34.00
Fナンバー             2.06
全画角2ω            69.44
像高Y              21.63
レンズ全長           100.00
[可変間隔データ]
INF      撮影距離1423mm
d0              ∞           1323.3000
d14          2.3963              3.0342
ｄ16          9.0538              8.4159
ｄ21          1.5000              1.8575
ｄ23          7.7031              7.3456
BF          1.0000              1.0000
[レンズ群データ]
群            始面             焦点距離
L1              1                 35.16
L2             15               -101.65
L3             17                 32.05
L4             22                -59.99
L5             24               -210.48
【実施例４】
【０１０５】
図１６は、実施例４に係る結像光学系の無限遠合焦時のレンズ構成図である。実施例４の結像光学系は、フォーカス時に固定の正の屈折力の第１レンズ群Ｌ１と、フォーカス時に像側に移動する負の屈折力の第２レンズ群Ｌ２と、フォーカス時に固定の正の屈折力の第３レンズ群Ｌ３と、フォーカス時に像側に移動すると共にウォブリング動作を行う負の屈折力の第４レンズ群Ｌ４と、フォーカス時に固定の負の屈折力の第５レンズ群Ｌ５とから構成される
【０１０６】
第１レンズ群Ｌ１は、物体側から像側へ順に、物体側に凸面を向けた凹メニスカスレンズと、物体側に凸面を向けた凸メニスカスレンズと、物体側に凸面を向けた凹メニスカスレンズと、Ｒ１面側非球面で物体側に凸を向けた凹メニスカスレンズと、両凹レンズと両凸レンズの接合レンズと、両凸レンズとから構成される。
【０１０７】
第２レンズ群Ｌ２は、物体側に凸面を向けた凹メニスカスレンズで構成される。
【０１０８】
第３レンズ群Ｌ３は、両凸レンズと両凹レンズの接合レンズと、Ｒ１、Ｒ２両面が非球面の両凸レンズとから構成される。
【０１０９】
第４レンズ群Ｌ４は、両凹レンズで構成される。
【０１１０】
第５レンズ群Ｌ５は、Ｒ１、Ｒ２両面が非球面の両凸レンズと、物体側に凹面を向けた凹メニスカスレンズとから構成される。
【０１１１】
実施例４に係る結像光学系において、フォーカシングに際し、前記第２レンズ群Ｌ２と、前記第４レンズ群Ｌ４とは、それぞれ異なる移動量で像側に移動する。
【０１１２】
続いて、以下に実施例４に係る結像光学系の諸元値を示す。
【０１１３】
数値実施例４
単位：mm
[面データ]
面番号            r              d               nd             vd
物面                 ∞           (d0)
1             160.2559         1.5000        1.55032          75.50
2              26.0411         3.9323
3              29.0146        11.3061        1.90043          37.37
4             203.7306         0.5000
5              73.5243         1.5000        1.49700          81.61
6              17.7848         8.2591
7*             81.7778         2.0000        1.68893          31.16
8              47.4849         4.5068
9            -113.0165         1.0000        1.73800          32.33
10              23.8967         9.0829        1.59282          68.63
11             -52.3892         0.1500
12              49.3488         8.7626        1.49700          81.61
13             -29.5747         2.5000
14（絞り）           ∞            d14
15             171.5539         1.0000        1.51680          64.20
16              34.9362            d16
17              83.8318         6.2002        1.59349          67.00
18             -25.6693         0.8000        1.58144          40.89
19              54.1510         0.1500
20*             34.7155         6.2206        1.83441          37.28
21*            -35.9102            d21
22            -146.5645         0.8000        1.54072          47.20
23              21.4152            d23
24*            229.9436         4.8307        1.49710          81.56
25*           -101.1378         4.1929
26             -21.8595         1.0000        1.80518          25.46
27             -28.4526        12.6375
28                   ∞         2.5000        1.51680          64.20
29                   ∞             BF
像面                 ∞
[非球面データ]
7面           20面           21面           24面           25面
K     0.0000E+00     0.0000E+00     0.0000E+00     0.0000E+00     0.0000E+00
A4    -1.1487E-05    -5.0373E-06     1.1248E-05    -9.7418E-06    -2.8122E-05
A6    -9.2020E-09     7.8475E-09     2.7334E-09     9.1238E-08     5.8154E-08
A8    -2.7810E-11    -1.7073E-11    -1.4410E-11    -1.3319E-10    -8.7077E-11
A10     8.7810E-14     5.9999E-14     5.3124E-14     1.3777E-13    -3.6510E-14
A12     0.0000E+00     0.0000E+00     0.0000E+00     0.0000E+00     0.0000E+00
[各種データ]
INF
焦点距離             38.64
Fナンバー             1.83
全画角2ω            61.55
像高Y              21.63
レンズ全長           120.00
[可変間隔データ]
INF      撮影距離1443mm
d0              ∞           1323.3000
d14          2.5000              3.4492
ｄ16         10.6197              9.6705
ｄ21          1.5000              1.7215
ｄ23          9.0486              8.8271
BF          1.0000              1.0000
[レンズ群データ]
群            始面             焦点距離
L1              1                 50.52
L2             15                -85.10
L3             17                 24.19
L4             22                -34.50
L5             24              -1360.27
【実施例５】
【０１１４】
図２１は、実施例５に係る結像光学系の無限遠合焦時のレンズ構成図である。実施例５の結像光学系は、フォーカス時に固定の正の屈折力の第１レンズ群Ｌ１と、フォーカス時に像側に移動する負の屈折力の第２レンズ群Ｌ２と、フォーカス時に固定の正の屈折力の第３レンズ群Ｌ３と、フォーカス時に像側に移動すると共にウォブリング動作を行う負の屈折力の第４レンズ群Ｌ４と、フォーカス時に固定の負の屈折力の第５レンズ群Ｌ５とから構成される
【０１１５】
第１レンズ群Ｌ１は、物体側から像側へ順に、物体側に凸面を向けた凹メニスカスレンズと、物体側に凸面を向けた凸メニスカスレンズと、物体側に凸面を向けた凹メニスカスレンズと、Ｒ１、Ｒ２両面が非球面で物体側に凸面を向けた凹メニスカスレンズと、両凹レンズと両凸レンズの接合レンズと、両凸レンズとから構成される。
【０１１６】
第２レンズ群Ｌ２は、物体側に凸面を向けた凹メニスカスレンズで構成される。
【０１１７】
第３レンズ群Ｌ３は、両凸レンズと両凹レンズの接合レンズと、Ｒ１、Ｒ２両面が非球面の両凸レンズとから構成される。
【０１１８】
第４レンズ群Ｌ４は、両凹レンズで構成される。
【０１１９】
第５レンズ群Ｌ５は、Ｒ１、Ｒ２両面が非球面の両凸レンズと、両凹レンズとから構成される。
【０１２０】
実施例５に係る結像光学系において、フォーカシングに際し、前記第２レンズ群Ｌ２と、前記第４レンズ群Ｌ４とは、それぞれ異なる移動量で像側に移動する。
【０１２１】
続いて、以下に実施例５に係る結像光学系の諸元値を示す。
【０１２２】
数値実施例５
単位：mm
[面データ]
面番号            r              d               nd             vd
物面                 ∞           (d0)
1             231.8782         1.4998        1.55032          75.50
2              24.9199         6.4891
3              45.4923         6.7903        1.90043          37.37
4            1128.2903         0.7957
5             123.5353         1.5000        1.49700          81.61
6              17.4109        12.4684
7*             49.2624         3.3129        2.00178          19.32
8*             47.4849         4.7177
9             -67.1403         2.1815        1.73800          32.33
10              81.0664         5.4524        1.59282          68.63
11             -40.1985         0.1498
12              62.8916         6.5251        1.49700          81.61
13             -28.8543         2.5000
14（絞り）           ∞            d14
15              69.9547         1.0000        1.51680          64.20
16              31.5809            d16
17              81.8972         7.3016        1.48749          70.45
18             -16.7195         0.8000        1.62004          36.30
19             173.9620         0.2110
20*             57.5439         5.3294        1.83441          37.28
21*            -26.3901            d21
22            -253.3583         0.8000        1.54072          47.20
23              30.0074            d23
24*             77.5277         5.9765        1.49710          81.56
25*            -28.0981         0.3231
26             -28.0732         1.0000        1.53172          48.84
27              55.0055        17.5026
28                   ∞         2.5000        1.51680          64.20
29                   ∞             BF
像面                 ∞
[非球面データ]
7面            8面           20面
K        0.0000E+00     0.0000E+00     0.0000E+00
A4        2.5624E-05     3.6941E-05    -3.0938E-06
A6        1.7306E-08     2.9286E-08     5.1437E-10
A8       -1.7061E-10    -2.0962E-10    -8.2001E-11
A10        6.8867E-13     7.6752E-13     2.7504E-13
A12        0.0000E+00     0.0000E+00     0.0000E+00
21面           24面           25面
K        0.0000E+00     0.0000E+00     0.0000E+00
A4        1.6150E-05    -6.8644E-07    -1.0461E-06
A6       -3.1728E-08    -5.3920E-08    -6.5621E-09
A8        6.8538E-11     1.1619E-10     9.4846E-12
A10       -3.3461E-14     9.6607E-14     1.2574E-13
A12        0.0000E+00     0.0000E+00     0.0000E+00
[各種データ]
INF
焦点距離             24.82
Fナンバー             1.87
全画角2ω            88.13
像高Y              21.63
レンズ全長           115.44
[可変間隔データ]
INF      撮影距離1436mm
d0              ∞           1320.2000
d14          2.5000              3.1550
ｄ16          8.6171              7.9621
ｄ21          1.5000              1.6529
ｄ23          4.6954              4.5425
BF          1.0000              1.0000
[レンズ群データ]
群            始面             焦点距離
L1              1                 41.02
L2             15               -112.40
L3             17                 25.75
L4             22                -49.57
L5             24               -251.78
【実施例６】
【０１２３】
図２６は、実施例６に係る結像光学系の無限遠合焦時のレンズ構成図である。実施例６の結像光学系は、フォーカス時に固定の正の屈折力の第１レンズ群Ｌ１と、フォーカス時に像側に移動する負の屈折力の第２レンズ群Ｌ２と、フォーカス時に固定の正の屈折力の第３レンズ群Ｌ３と、フォーカス時に像側に移動すると共にウォブリング動作を行う負の屈折力の第４レンズ群Ｌ４と、フォーカス時に固定の負の屈折力の第５レンズ群Ｌ５とから構成される。
【０１２４】
第１レンズ群Ｌ１は、物体側から像側へ順に、物体側に凸面を向けた凹メニスカスレンズと、両凸レンズと両凹レンズの接合レンズと、Ｒ１面側が非球面の両凸レンズと両凹レンズの接合レンズと、両凹レンズと両凸レンズの接合レンズと、両凸レンズとから構成される。
【０１２５】
第２レンズ群Ｌ２は、両凹レンズＬ２ｍと両凸レンズＬ２ｐとから構成される。
【０１２６】
第３レンズ群Ｌ３は、両凹レンズと、Ｒ１とＲ２両面が非球面の両凸レンズとから構成される。
【０１２７】
第４レンズ群Ｌ４は、両凹レンズで構成される。
【０１２８】
第５レンズ群Ｌ５は、Ｒ１とＲ２両面が非球面の両凸レンズと、両凹レンズとから構成される。
【０１２９】
実施例６に係る結像光学系において、フォーカシングに際し、前記第２レンズ群Ｌ２と、前記第４レンズ群Ｌ４とは、それぞれ異なる移動量で像側に移動する。
【０１３０】
続いて、以下に実施例６に係る結像光学系の諸元値を示す。
【０１３１】
数値実施例６
単位：mm
[面データ]
面番号            r              d               nd             vd
物面                 ∞           (d0)
1             281.2531         1.5000        1.55032          75.50
2              32.7946        11.0490
3              46.3067        11.8978        1.90043          37.37
4            -148.8954         1.6256        1.49700          81.61
5              29.0492        11.6677
6*             82.2468         6.3907        1.77250          49.50
7             -48.0669         1.0000        1.51742          52.15
8              27.7022         6.2034
9            -143.6085         1.0000        1.71736          29.50
10              30.8674        10.0121        1.59282          68.63
11             -50.2702         0.1500
12              53.9324        10.6889        1.49700          81.61
13             -34.6530         1.5000
14（絞り）           ∞            d14
15            -332.4440         0.8000        1.78472          25.72
16              41.9487         2.8600
17             487.7291         2.6505        1.98612          16.48
18            -124.8260            d18
19            -150.3300         0.8000        1.67300          38.15
20             110.4617         0.1500
21*             42.8244         7.8665        1.77250          49.50
22*            -32.9419            d22
23            -171.0457         0.8000        1.51742          52.15
24              37.9997            d24
25*             61.1451         4.9710        1.80610          40.73
26*           -128.0058         0.8336
27             -77.1448         1.0000        1.68893          31.16
28              55.0055        17.4999
29                   ∞         2.5000        1.51680          64.20
30                   ∞             BF
像面                 ∞
[非球面データ]
6面           21面           22面           25面           26面
K     0.0000E+00     0.0000E+00     0.0000E+00     0.0000E+00     0.0000E+00
A4    -7.0293E-06    -4.6961E-06     3.3327E-06    -2.3434E-05    -2.4720E-05
A6    -4.2466E-09     2.4695E-09     2.4949E-08     5.1397E-08     6.0328E-08
A8     7.6724E-12    -1.4907E-12    -6.7160E-11    -9.3669E-11    -1.3347E-10
A10     0.0000E+00     1.7026E-14     9.6444E-14     3.4166E-13     4.5572E-13
A12     0.0000E+00     0.0000E+00     0.0000E+00    -5.0140E-16    -5.8083E-16
[各種データ]
INF
焦点距離             34.00
Fナンバー             1.46
全画角2ω            68.19
像高Y              21.63
レンズ全長           140.07
[可変間隔データ]
INF      撮影距離1463mm
d0              ∞           1323.1999
d14          4.0638              5.1323
ｄ18         10.3672              9.2987
ｄ22          1.5000              1.6813
ｄ24          5.7246              5.5433
BF          1.0000              1.0000
[レンズ群データ]
群            始面             焦点距離
L1              1                 39.09
L2             15                -96.56
L3             19                 33.03
L4             23                -60.01
L5             25              -1000.01
【実施例７】
【０１３２】
図３１は、実施例７に係る結像光学系の無限遠合焦時のレンズ構成図である。実施例７の結像光学系は、フォーカス時に固定の正の屈折力の第１レンズ群Ｌ１と、フォーカス時に像側に移動する負の屈折力の第２レンズ群Ｌ２と、フォーカス時に固定の正の屈折力の第３レンズ群Ｌ３と、フォーカス時に像側に移動すると共にウォブリング動作を行う負の屈折力の第４レンズ群Ｌ４と、フォーカス時に固定の正の屈折力の第５レンズ群Ｌ５とから構成される。
【０１３３】
第１レンズ群Ｌ１は、物体側から像側へ順に、物体側に凸面を向けた凹メニスカスレンズと、両凸レンズと両凹レンズの接合レンズと、Ｒ１面側が非球面の両凸レンズと両凹レンズの接合レンズと、物体側に凸面を向けた凹メニスカスレンズと両凸レンズの接合レンズと、両凸レンズとから構成される。
【０１３４】
第２レンズ群Ｌ２は、両凹レンズＬ２ｍと、両凸レンズＬ２ｐと両凹レンズの接合レンズとから構成される。
【０１３５】
第３レンズ群Ｌ３は、物体側に凸面を向けた凹メニスカスレンズと、Ｒ１とＲ２両面が非球面の両凸レンズとから構成される。
【０１３６】
第４レンズ群Ｌ４は、両凹レンズで構成される。
【０１３７】
第５レンズ群Ｌ５は、Ｒ１とＲ２両面が非球面の両凸レンズと、両凹レンズとから構成される。
【０１３８】
実施例７に係る結像光学系において、フォーカシングに際し、前記第２レンズ群Ｌ２と、前記第４レンズ群Ｌ４とは、それぞれ異なる移動量で像側に移動する。
【０１３９】
続いて、以下に実施例７に係る結像光学系の諸元値を示す。
【０１４０】
数値実施例７
単位：mm
[面データ]
面番号            r              d               nd             vd
物面                 ∞           (d0)
1             330.7464         1.5000        1.55032          75.50
2              35.6792         7.2778
3              54.0612        10.3202        1.90043          37.37
4            -250.6353         1.5000        1.49700          81.61
5              28.7194        19.3936
6*             75.7696         8.6224        1.80610          40.73
7             -35.3654         1.0000        1.60342          38.01
8              30.3292         5.9214
9             150.9620         1.0000        1.80518          25.46
10              48.2037         8.2866        1.59282          68.63
11             -65.2573         0.1500
12              49.5774        11.1130        1.49700          81.61
13             -37.6676         1.5000
14（絞り）           ∞            d14
15            -209.3022         0.8000        1.75520          27.53
16              33.4182         2.6863
17             115.4037         4.1519        1.92286          20.88
18             -61.3971         0.8000        1.62004          36.30
19             111.0353            d19
20             491.9264         0.8000        1.80000          29.84
21              86.9170         0.1500
22*             43.9071         8.1936        1.77250          49.50
23*            -33.7752            d23
24            -255.6540         0.8000        1.54814          45.82
25              37.9997            d25
26*             54.3268         5.2398        1.80610          40.73
27*           -148.0052         0.4514
28             -104.542         1.0000        1.72825          28.32
29              55.0055        18.4757
30                   ∞         2.5000        1.51680          64.20
31                   ∞             BF
像面                 ∞
[非球面データ]
6面           22面           23面           26面           27面
K     0.0000E+00     0.0000E+00     0.0000E+00     0.0000E+00     0.0000E+00
A4    -4.7283E-06    -3.7070E-06     3.9315E-06    -1.8104E-05    -2.0239E-05
A6    -2.1644E-09    -1.4281E-09     1.2607E-08    -2.3595E-09     4.4054E-09
A8     3.6192E-12     2.2810E-11    -1.4999E-11     1.7138E-10     1.7182E-10
A10     0.0000E+00    -2.2949E-14     1.8918E-14    -4.5771E-13    -4.7781E-13
A12     0.0000E+00     0.0000E+00     0.0000E+00     3.4924E-16     4.4713E-16
[各種データ]
INF
焦点距離             33.99
Fナンバー             1.46
全画角2ω            66.55
像高Y              21.63
レンズ全長           144.00
[可変間隔データ]
INF      撮影距離1467mm
d0              ∞           1323.3600
d14          4.2547              4.8866
ｄ19          8.7876              8.1557
ｄ23          1.5000              1.6770
ｄ25          4.8241              4.6471
BF          1.0000              1.0000
[レンズ群データ]
群            始面             焦点距離
L1              1                 32.23
L2             15                -54.27
L3             20                 31.40
L4             24                -60.30
L5             26               1000.04
【実施例８】
【０１４１】
図３６は、実施例８に係る結像光学系の無限遠合焦時のレンズ構成図である。実施例８の結像光学系は、フォーカス時に固定の正の屈折力の第１レンズ群Ｌ１と、フォーカス時に像側に移動する負の屈折力の第２レンズ群Ｌ２と、フォーカス時に固定の正の屈折力の第３レンズ群Ｌ３と、フォーカス時に像側に移動すると共にウォブリング動作を行う負の屈折力の第４レンズ群Ｌ４と、フォーカス時に固定の負の屈折力の第５レンズ群Ｌ５とから構成される。
【０１４２】
第１レンズ群Ｌ１は、物体側から像側へ順に、物体側に凸面を向けた凹メニスカスレンズと、両凸レンズと、物体側に凸面を向けた凹メニスカスレンズと、Ｒ１面側が非球面の両凸レンズと両凹レンズの接合レンズと、両凹レンズと両凸レンズの接合レンズと、両凸レンズとから構成される。
【０１４３】
第２レンズ群Ｌ２は、両凹レンズＬ２ｍと、両凸レンズＬ２ｐと物体側に凹面を向けた凹メニスカスレンズの接合レンズとから構成される。
【０１４４】
第３レンズ群Ｌ３は、両凹レンズと、Ｒ１とＲ２両面が非球面の両凸レンズとから構成される。
【０１４５】
第４レンズ群Ｌ４は、両凹レンズで構成される。
【０１４６】
第５レンズ群Ｌ５は、Ｒ１とＲ２両面が非球面の両凸レンズと、両凹レンズとから構成される。
【０１４７】
実施例８に係る結像光学系において、フォーカシングに際し、前記第２レンズ群Ｌ２と、前記第４レンズ群Ｌ４とは、それぞれ異なる移動量で像側に移動する。
【０１４８】
続いて、以下に実施例８に係る結像光学系の諸元値を示す。
【０１４９】
数値実施例８
単位：mm
[面データ]
面番号            r              d               nd             vd
物面                 ∞           (d0)
1             197.4948         2.5985        1.55032          75.50
2              31.7483        17.0714
3              45.6372         9.5945        1.90043          37.37
4            -522.1508         0.7690
5             349.7153         1.9310        1.49700          81.61
6              29.1405         5.8561
7*             79.8094         5.1949        1.80610          40.73
8             -69.0443         1.0000        1.51742          52.15
9              29.4146         7.1986
10            -100.6791         1.6285        1.74077          27.76
11              28.7119        10.2287        1.59282          68.63
12             -48.9371         0.1500
13              47.1889        10.1309        1.49700          81.61
14             -39.7089         1.5000
15（絞り）           ∞            d15
16            -173.2772         0.8000        1.68893          31.16
17              43.2321         2.6016
18             267.5074         4.6671        1.84666          23.78
19             -43.3120         0.8000        1.65412          39.68
20            -788.1913            d20
21            -672.6857         0.8000        1.67270          32.17
22             109.2012         0.1500
23*             44.6355         7.6659        1.77250          49.50
24*            -34.3350            d24
25            -223.0095         0.8000        1.54072          47.20
26              37.9997            d26
27*             71.9220         5.8263        1.77250          49.50
28*            -61.8858         0.4702
29             -60.0941         1.0000        1.72825          28.32
30              55.0055        17.4998
31                   ∞         2.5000        1.51680          64.20
32                   ∞             BF
像面                 ∞
[非球面データ]
7面           23面           24面           27面           28面
K     0.0000E+00     0.0000E+00     0.0000E+00     0.0000E+00     0.0000E+00
A4    -4.9910E-06    -3.0408E-06     8.4587E-06    -1.0662E-05    -1.3569E-05
A6    -2.1440E-09    -1.1262E-09    -1.4846E-09     1.2053E-08     2.4152E-08
A8     4.0905E-12     6.8466E-12     7.0557E-12    -1.1420E-11    -2.2770E-11
A10     1.9833E-15     0.0000E+00     0.0000E+00     0.0000E+00     0.0000E+00
A12     0.0000E+00     0.0000E+00     0.0000E+00     0.0000E+00     0.0000E+00
[各種データ]
INF
焦点距離             33.99
Fナンバー             1.46
全画角2ω            67.27
像高Y              21.63
レンズ全長           143.44
[可変間隔データ]
INF      撮影距離1466mm
d0              ∞           1323.0400
d15          4.4028              5.3528
ｄ20         10.0603              9.1103
ｄ24          1.5000              1.7524
ｄ26          6.0480              5.7956
BF          1.0000              1.0000
[レンズ群データ]
群            始面             焦点距離
L1              1                 41.30
L2             16                -92.41
L3             21                 31.53
L4             25                -59.98
L5             27               -756.22
【実施例９】
【０１５０】
図４１は、実施例９に係る結像光学系の無限遠合焦時のレンズ構成図である。実施例９の結像光学系は、フォーカス時に固定の正の屈折力の第１レンズ群Ｌ１と、フォーカス時に像側に移動する負の屈折力の第２レンズ群Ｌ２と、フォーカス時に固定の正の屈折力の第３レンズ群Ｌ３と、フォーカス時に像側に移動すると共にウォブリング動作を行う負の屈折力の第４レンズ群Ｌ４と、フォーカス時に固定の負の屈折力の第５レンズ群Ｌ５とから構成される。
【０１５１】
第１レンズ群Ｌ１は、物体側から像側へ順に、物体側に凸面を向けた凹メニスカスレンズと、物体側に凸面を向けた凸メニスカスレンズと、物体側に凸面を向けた凹メニスカスレンズと、Ｒ１面側が非球面で物体側に凸面を向けた凹メニスカスレンズと、両凹レンズと両凸レンズの接合レンズと、両凸レンズとから構成される。
【０１５２】
第２レンズ群Ｌ２は、物体側に凸面を向けた凹メニスカスレンズで構成される。
【０１５３】
第３レンズ群Ｌ３は、物体側に凸面を向けた凸メニスカスレンズと、Ｒ１面側が非球面で光軸に対して垂直方向成分を持つように移動させることで光軸と垂直方向に像を移動させる両凹レンズＬｏｓと、Ｒ１とＲ２両面が非球面の両凸レンズとから構成される。
【０１５４】
第４レンズ群Ｌ４は、両凹レンズで構成される。
【０１５５】
第５レンズ群Ｌ５は、Ｒ１とＲ２両面が非球面の両凸レンズと、両凹レンズとから構成される。
【０１５６】
実施例９に係る結像光学系において、フォーカシングに際し、前記第２レンズ群Ｌ２と、前記第４レンズ群Ｌ４とは、それぞれ異なる移動量で像側に移動する。
【０１５７】
続いて、以下に実施例９に係る結像光学系の諸元値を示す。
【０１５８】
数値実施例９
単位：mm
[面データ]
面番号            r              d               nd             vd
物面                 ∞           (d0)
1             149.1196         1.5000        1.55032          75.50
2              25.3508         6.3432
3              29.5378        10.6293        1.90043          37.37
4             326.1278         0.6110
5              84.4112         1.5000        1.49700          81.61
6              17.1548         7.5395
7*             83.1484         2.0000        1.68893          31.16
8              47.4849         4.2245
9             -65.1427         2.7691        1.73800          32.33
10              24.3583         8.4733        1.59282          68.63
11             -43.2622         0.1500
12              46.6334         7.7973        1.49700          81.61
13             -30.0430         2.5000
14（絞り）           ∞            d14
15             106.4898         1.0000        1.51680          64.20
16              34.3259            d16
17              40.0153         3.1583        1.59349          67.00
18              88.7248         2.4095
19*           -318.5310         0.8000        1.59201          67.02
20              42.1432         1.7790
21*             32.1626         6.5273        1.77250          49.50
22*            -33.5669            d22
23           -4873.6241         0.8000        1.54072          47.20
24              22.9336            d24
25*             60.0510         8.8460        1.49710          81.56
26*            -39.3174         0.7028
27             -27.5750         1.0000        1.62004          36.30
28             680.9037        11.5002
29                   ∞         2.5000        1.51680          64.20
30                   ∞             BF
像面                 ∞
[非球面データ]
7面           19面           21面
K        0.0000E+00     0.0000E+00     0.0000E+00
A4       -1.1882E-05     5.5995E-06    -8.3328E-06
A6       -8.2614E-09    -5.1356E-09     6.3087E-09
A8       -3.6102E-11     6.1333E-12    -1.4641E-12
A10        1.6574E-13     0.0000E+00    -4.4296E-15
A12        0.0000E+00     0.0000E+00     0.0000E+00
22面           25面           26面
K        0.0000E+00     0.0000E+00     0.0000E+00
A4        1.5025E-05    -5.0834E-06    -2.9280E-05
A6       -1.1988E-08     1.1553E-08     3.5669E-08
A8        5.3167E-11     4.5550E-11     8.8683E-13
A10       -8.6499E-14    -3.6306E-14    -3.5415E-14
A12        0.0000E+00     0.0000E+00     0.0000E+00
[各種データ]
INF
焦点距離             34.00
Fナンバー             1.85
全画角2ω            68.93
像高Y              21.63
レンズ全長           120.00
[可変間隔データ]
INF      撮影距離1443mm
d0              ∞           1323.0000
d14          2.5000              3.3938
ｄ16          9.1264              8.2326
ｄ22          1.5000              1.7550
ｄ24          8.8133              8.5583
BF          1.0000              1.0000
[レンズ群データ]
群            始面             焦点距離
L1              1                 49.22
L2             15                -98.48
L3             17                 27.03
L4             23                -42.21
L5             25               -619.00
【実施例１０】
【０１５９】
図４７は、実施例１０に係る結像光学系の無限遠合焦時のレンズ構成図である。実施例１０の結像光学系は、フォーカス時に固定の正の屈折力の第１レンズ群Ｌ１と、フォーカス時に像側に移動する負の屈折力の第２レンズ群Ｌ２と、フォーカス時に固定の正の屈折力の第３レンズ群Ｌ３と、フォーカス時に像側に移動すると共にウォブリング動作を行う負の屈折力の第４レンズ群Ｌ４と、フォーカス時に固定の正の屈折力の第５レンズ群Ｌ５とから構成される。
【０１６０】
第１レンズ群Ｌ１は、物体側から像側へ順に、両凹レンズと、両凸レンズと両凹レンズの接合レンズと、Ｒ１面側が非球面の両凸レンズと両凹レンズの接合レンズと、物体側に凸面を向けた凹メニスカスレンズと両凸レンズの接合レンズと、両凸レンズとから構成される。
【０１６１】
第２レンズ群Ｌ２は、物体側に凸面を向けた凹メニスカスレンズＬ２ｍと、物体側に凸面を向けた凸メニスカスレンズＬ２ｐとから構成される。
【０１６２】
第３レンズ群Ｌ３は、Ｒ１面側が非球面で光軸に対して垂直方向成分を持つように移動させることで光軸と垂直方向に像を移動させる両凹レンズＬｏｓと、Ｒ１とＲ２両面が非球面の両凸レンズとから構成される。
【０１６３】
第４レンズ群Ｌ４は、両凹レンズで構成される。
【０１６４】
第５レンズ群Ｌ５は、Ｒ１面側が非球面の両凸レンズと両凹レンズの接合レンズで構成される。
【０１６５】
実施例１０に係る結像光学系において、フォーカシングに際し、前記第２レンズ群Ｌ２と、前記第４レンズ群Ｌ４とは、それぞれ異なる移動量で像側に移動する。
【０１６６】
続いて、以下に実施例１０に係る結像光学系の諸元値を示す。
【０１６７】
数値実施例１０
単位：mm
[面データ]
面番号            r              d               nd             vd
物面                 ∞           (d0)
1            -943.9253         1.5000        1.55032          75.50
2              38.3358         4.1146
3              48.0423        12.0743        1.90043          37.37
4            -350.6157         4.1346        1.49700          81.61
5              26.0037        23.3509
6*            154.9955         5.8172        1.77250          49.50
7             -47.5376         1.0000        1.51742          52.15
8              36.1804         3.4595
9              95.5073         1.0000        1.71736          29.50
10              38.4084         9.7770        1.59282          68.63
11             -56.1666         0.1500
12              45.9111        10.2516        1.49700          81.61
13             -45.1191         1.5000
14（絞り）           ∞            d14
15              46.7827         0.8000        1.78470          26.29
16              23.0194         2.0801
17              34.2100         1.6907        1.80518          25.46
18              34.5497            d18
19*           -924.1978         0.8000        1.51633          64.06
20              51.0235         3.7793
21*             44.0871         8.5918        1.77250          49.50
22*            -33.9132            d22
23            -469.3353         0.8000        1.51742          52.15
24              33.2664            d24
25*            268.3514         4.4680        1.83441          37.28
26             -73.6122         2.3396        1.51742          52.15
27              81.5309        12.5228
28                   ∞         2.5000        1.51680          64.20
29                   ∞             BF
像面                 ∞
[非球面データ]
6面           19面           21面           22面           25面
K     0.0000E+00     0.0000E+00     0.0000E+00     0.0000E+00     0.0000E+00
A4    -6.2474E-06     1.7269E-06    -2.0658E-06     1.0765E-05     3.1813E-06
A6     8.3197E-10     9.4900E-09    -1.0550E-09    -1.6433E-08    -6.5249E-09
A8     5.1769E-12    -4.0354E-11    -1.0227E-12     2.2712E-11    -2.4530E-11
A10     0.0000E+00     7.6055E-14    -7.2421E-16    -1.7172E-14     9.4503E-14
A12     0.0000E+00     0.0000E+00     0.0000E+00     0.0000E+00    -1.6371E-16
[各種データ]
INF
焦点距離             33.99
Fナンバー             1.47
全画角2ω            68.19
像高Y              21.63
レンズ全長           140.50
[可変間隔データ]
INF      撮影距離1464mm
d0              ∞           1323.2500
d14          1.1786              1.6412
ｄ18          8.5503              8.0877
ｄ22          1.5000              1.7962
ｄ24          9.7686              9.4724
BF          1.0000              1.0000
[レンズ群データ]
群            始面             焦点距離
L1              1                 29.25
L2             15                -60.00
L3             19                 32.87
L4             23                -60.00
L5             25                864.30
【実施例１１】
【０１６８】
図５３は、実施例１１に係る結像光学系の無限遠合焦時のレンズ構成図である。実施例１１の結像光学系は、フォーカス時に固定の正の屈折力の第１レンズ群Ｌ１と、フォーカス時に像側に移動する負の屈折力の第２レンズ群Ｌ２と、フォーカス時に固定の正の屈折力の第３レンズ群Ｌ３と、フォーカス時に像側に移動すると共にウォブリング動作を行う負の屈折力の第４レンズ群Ｌ４と、フォーカス時に固定の正の屈折力の第５レンズ群Ｌ５とから構成される。
【０１６９】
第１レンズ群Ｌ１は、物体側から像側へ順に、両凹レンズと、両凸レンズと両凹レンズの接合レンズと、Ｒ１面側が非球面の両凸レンズと両凹レンズの接合レンズと、物体側に凸面を向けた凹メニスカスレンズと両凸レンズの接合レンズと、両凸レンズとから構成される。
【０１７０】
第２レンズ群Ｌ２は、物体側に凸面を向けた凹メニスカスレンズＬ２ｍと、両凸レンズＬ２ｐとから構成される。
【０１７１】
第３レンズ群Ｌ３は、Ｒ１面側が非球面で光軸に対して垂直方向成分を持つように移動させることで光軸と垂直方向に像を移動させる両凹レンズＬｏｓと、Ｒ１とＲ２両面が非球面の両凸レンズとから構成される。
【０１７２】
第４レンズ群Ｌ４は、両凹レンズで構成される。
【０１７３】
第５レンズ群Ｌ５は、Ｒ１面側が非球面の両凸レンズと両凹レンズの接合レンズで構成される。
【０１７４】
実施例１１に係る結像光学系において、フォーカシングに際し、前記第２レンズ群Ｌ２と、前記第４レンズ群Ｌ４とは、同じ移動量で像側に移動する。
【０１７５】
続いて、以下に実施例１１に係る結像光学系の諸元値を示す。
【０１７６】
数値実施例１１
単位：mm
[面データ]
面番号            r              d               nd             vd
物面                 ∞           (d0)
1            -862.2164         1.5000        1.55032          75.50
2              35.6471        15.7018
3              59.8955         9.9168        2.00069          25.46
4            -152.7460         1.5000        1.49700          81.61
5              32.8651        17.3765
6*            121.5223         6.2944        1.77250          49.50
7             -47.0670         1.0000        1.71736          29.50
8              41.2192         2.7314
9              80.6154         1.0000        1.71736          29.50
10              41.6703         9.5421        1.73400          51.47
11             -63.6537         0.1500
12              44.9732         9.9139        1.49700          81.61
13             -50.9542         1.5000
14（絞り）           ∞            d14
15              52.2012         1.0000        1.85478          24.80
16              22.6666         4.8529
17             829.4264         1.8691        1.78472          25.72
18            -364.9064            d18
19*           -691.0485         0.8000        1.51633          64.06
20              51.8785         5.5366
21*             44.5073         7.6097        1.77250          49.50
22*            -34.2364            d22
23           -7005.7866         0.8000        1.51742          52.15
24              30.0203            d24
25*            935.3718         4.1145        2.00178          19.32
26             -76.2535         1.0000        1.51742          52.15
27              82.5615        12.5001
28                   ∞         2.5000        1.51680          64.20
29                   ∞             BF
像面                 ∞
[非球面データ]
6面           19面           21面           22面           25面
K     0.0000E+00     0.0000E+00     0.0000E+00     0.0000E+00     0.0000E+00
A4    -6.2615E-06     1.1466E-06    -3.1972E-06     8.7464E-06     1.8758E-06
A6    -7.3150E-10     1.2643E-08    -1.7839E-09    -1.3434E-08    -3.3392E-09
A8     4.1411E-12    -5.7727E-11    -8.0463E-12     9.2096E-12    -1.1553E-11
A10     0.0000E+00     1.1548E-13     1.2297E-14     2.0642E-16     3.3895E-14
A12     0.0000E+00     0.0000E+00     0.0000E+00     0.0000E+00    -3.6196E-17
[各種データ]
INF
焦点距離             34.00
Fナンバー             1.46
全画角2ω            68.18
像高Y              21.63
レンズ全長           140.50
[可変間隔データ]
INF      撮影距離1464mm
d0              ∞           1323.1999
d14          1.5000              1.8387
ｄ18          5.0415              4.7028
ｄ22          1.4999              1.8386
ｄ24         10.7488             10.4101
BF          1.0000              1.0000
[レンズ群データ]
群            始面             焦点距離
L1              1                 26.66
L2             15                -56.90
L3             19                 32.41
L4             23                -57.77
L5             25                842.92
【実施例１２】
【０１７７】
図５９は、実施例１２に係る結像光学系の無限遠合焦時のレンズ構成図である。実施例１２の結像光学系は、フォーカス時に固定の正の屈折力の第１レンズ群Ｌ１と、フォーカス時に像側に移動する負の屈折力の第２レンズ群Ｌ２と、フォーカス時に固定の正の屈折力の第３レンズ群Ｌ３と、フォーカス時に像側に移動すると共にウォブリング動作を行う負の屈折力の第４レンズ群Ｌ４と、フォーカス時に固定の負の屈折力の第５レンズ群Ｌ５とから構成される。
【０１７８】
第１レンズ群Ｌ１は、物体側から像側へ順に、物体側に凸面を向けた凹メニスカスレンズと、物体側に凸面を向けた凸メニスカスレンズと、Ｒ１とＲ２両面が非球面で物体側に凸面を向けた凹メニスカスレンズと、物体側に凸面を向けた凹メニスカスレンズと、両凹レンズと両凸レンズの接合レンズと、両凸レンズとから構成される。
【０１７９】
第２レンズ群Ｌ２は、物体側に凸面を向けた凹メニスカスレンズで構成される。
【０１８０】
第３レンズ群Ｌ３は、両凸レンズと両凹レンズの接合レンズと、Ｒ１とＲ２両面が非球面の両凸レンズとから構成される。
【０１８１】
第４レンズ群Ｌ４は、物体側に凸面を向けた凹メニスカスレンズで構成される。
【０１８２】
第５レンズ群Ｌ５は、Ｒ１面側が非球面の両凸レンズと両凹レンズの接合レンズで構成される。
【０１８３】
実施例１２に係る結像光学系において、フォーカシングに際し、前記第２レンズ群Ｌ２と、前記第４レンズ群Ｌ４とは、それぞれ異なる移動量で像側に移動する。
【０１８４】
続いて、以下に実施例１２に係る結像光学系の諸元値を示す。
【０１８５】
数値実施例１２
単位：mm
[面データ]
面番号            r              d               nd             vd
物面                 ∞           (d0)
1              45.6053         1.5000        1.55032          75.50
2              17.3307         9.4047
3              75.1361         3.5022        1.96300          24.11
4             557.6703         0.8755
5*             48.3584         1.5000        1.49710          81.56
6*             16.1030         5.7710
7              86.4740         1.0000        1.49700          81.61
8              47.4849         5.0352
9            -265.5575         1.0000        1.73800          32.33
10              35.3597         6.3294        1.59282          68.63
11             -48.1815         0.1500
12              63.0188         7.1700        1.49700          81.61
13             -26.6898         2.5000
14（絞り）           ∞            d14
15              83.0699         1.0000        1.51680          64.20
16              30.7695            d16
17              57.9326         8.1241        1.48749          70.45
18             -17.9245         0.8000        1.62004          36.30
19             157.6800         0.1500
20*             50.3650         5.6170        1.83441          37.28
21*            -29.1938            d21
22             652.7521         0.8000        1.54072          47.20
23              24.8776            d23
24*             74.9062         8.7604        1.49710          81.56
25             -17.6974         1.0000        1.56732          42.84
26             101.9370        17.5002
27                   ∞         2.5000        1.51680          64.20
28                   ∞             BF
像面                 ∞
[非球面データ]
5面            6面           20面           21面           24面
K     0.0000E+00     0.0000E+00     0.0000E+00     0.0000E+00     0.0000E+00
A4    -9.5051E-06    -4.7753E-08    -3.3535E-06     1.2729E-05     1.1058E-07
A6    -9.4418E-08    -1.8967E-07     1.0260E-09    -1.6138E-08    -1.5977E-08
A8     3.4076E-10     5.3903E-10    -2.3061E-11     2.9951E-11     1.3340E-11
A10    -6.0492E-13    -3.5960E-12     7.8094E-14     2.8465E-15     4.0361E-14
A12     0.0000E+00     0.0000E+00     0.0000E+00     0.0000E+00     0.0000E+00
[各種データ]
INF
焦点距離             24.81
Fナンバー             1.86
全画角2ω            88.19
像高Y              21.63
レンズ全長           110.00
[可変間隔データ]
INF      撮影距離1086mm
d0              ∞            976.2592
d14          2.5000              3.2207
ｄ16          7.5167              6.7960
ｄ21          1.5000              1.7209
ｄ23          5.4936              5.2727
BF          1.0000              1.0000
[レンズ群データ]
群            始面             焦点距離
L1              1                 45.50
L2             15                -95.19
L3             17                 25.32
L4             22                -47.85
L5             24               -397.38
【実施例１３】
【０１８６】
図６４は、実施例１３に係る結像光学系の無限遠合焦時のレンズ構成図である。実施例１３の結像光学系は、フォーカス時に固定の正の屈折力の第１レンズ群Ｌ１と、フォーカス時に像側に移動する負の屈折力の第２レンズ群Ｌ２と、フォーカス時に固定の正の屈折力の第３レンズ群Ｌ３と、フォーカス時に像側に移動すると共にウォブリング動作を行う負の屈折力の第４レンズ群Ｌ４と、フォーカス時に固定の負の屈折力の第５レンズ群Ｌ５とから構成される。
【０１８７】
第１レンズ群Ｌ１は、物体側から像側へ順に、Ｒ２面側が非球面で物体側に凸面を向けた凹メニスカスレンズと、両凸レンズと、Ｒ１とＲ２両面が非球面で物体側に凸面を向けた凹メニスカスレンズと、両凹レンズと両凸レンズの接合レンズと、両凸レンズとから構成される。
【０１８８】
第２レンズ群Ｌ２は、物体側に凸面を向けた凹メニスカスレンズで構成される。
【０１８９】
第３レンズ群Ｌ３は、両凹レンズと両凸レンズの接合レンズと、Ｒ１とＲ２両面が非球面の両凸レンズとから構成される。
【０１９０】
第４レンズ群Ｌ４は、物体側に凸面を向けた凹メニスカスレンズで構成される。
【０１９１】
第５レンズ群Ｌ５は、Ｒ１とＲ２両面が非球面の両凸レンズと、両凹レンズとから構成される。
【０１９２】
実施例１３に係る結像光学系において、フォーカシングに際し、前記第２レンズ群Ｌ２と、前記第４レンズ群Ｌ４とは、それぞれ異なる移動量で像側に移動する。
【０１９３】
続いて、以下に実施例１３に係る結像光学系の諸元値を示す。
【０１９４】
数値実施例１３
単位：mm
[面データ]
面番号            r              d               nd             vd
物面                 ∞           (d0)
1              87.0002         3.8843        1.77250          49.50
2*             19.5930        11.5497
3              46.1654         5.8568        1.92119          23.96
4            -204.1779         0.5000
5*             61.2365         1.5000        1.49710          81.56
6*             14.9216         7.3196
7            -302.7852         3.1652        1.49700          81.61
8              47.4849         2.4665
9            -429.4013         1.6976        2.00069          25.46
10              33.9176         6.4671        1.77250          49.62
11             -34.9000         1.7422
12              51.5977         6.9864        1.49700          81.61
13             -25.8858         1.5000
14（絞り）           ∞            d14
15              41.3208         1.0000        1.49700          81.61
16              28.2502            d16
17             -25.6592         1.0000        1.92119          23.96
18              30.2025         4.2892        1.75500          52.32
19             -59.3531         0.1500
20*             47.8415         7.0666        1.82115          24.06
21*            -23.1601            d21
22              76.4414         0.8000        1.54072          47.20
23              20.8387            d23
24*             34.5309         9.8514        1.49710          81.56
25*            -24.6979         0.1500
26             -42.9579         1.0000        1.90366          31.34
27              55.0055        15.4491
28                   ∞         2.5000        1.51680          64.20
29                   ∞             BF
像面                 ∞
[非球面データ]
2面            5面            6面           20面
K        0.0000E+00     0.0000E+00     0.0000E+00     0.0000E+00
A4       -3.6870E-06    -3.3121E-05    -1.7455E-05    -7.6016E-06
A6       -1.9790E-08     7.0803E-08     5.8601E-09    -6.1394E-09
A8        3.5432E-11    -1.6217E-10     5.2237E-11     1.1657E-10
A10       -1.1468E-13     4.7061E-13    -2.7330E-12    -2.8882E-13
A12        0.0000E+00     0.0000E+00     0.0000E+00     0.0000E+00
21面           24面           25面
K        0.0000E+00     0.0000E+00     0.0000E+00
A4        2.1299E-05    -6.5251E-06    -2.0010E-06
A6       -2.2438E-08     7.8984E-10     9.1352E-08
A8        1.6675E-10     2.9041E-10    -1.4212E-10
A10       -2.9355E-13    -5.0196E-13     2.8487E-13
A12        0.0000E+00     0.0000E+00    -4.4448E-16
[各種データ]
INF
焦点距離             20.61
Fナンバー             1.86
全画角2ω            97.92
像高Y              21.63
レンズ全長           116.00
[可変間隔データ]
INF       撮影距離919mm
d0              ∞            803.4059
d14          2.0000              2.5748
ｄ16          8.8766              8.3018
ｄ21          1.5000              1.7463
ｄ23          4.7318              4.4855
BF          1.0000              1.0000
[レンズ群データ]
群            始面             焦点距離
L1              1                 26.10
L2             15               -184.38
L3             17                 30.31
L4             22                -53.25
L5             24              -1002.40
【０１９５】
次の［条件式対応値］には、各条件式に対応する各実施例の対応値の一覧を示す。
【０１９６】
［条件式対応値］
条件式１ 条件式２    条件式３      条件式４ 条件式５ 条件式６
実施例   Y/Bf    exp/f  β4b^2×(β4^2-1) β4b/β4    d4     df4/LT
1      1.02     1.85        1.10          0.62     2.53     0.25
2      1.03     1.86        2.06          0.64     2.53     0.26
3      1.44     1.52        1.31          0.70     2.53     0.33
4      1.34     1.44        2.78          0.51     2.53     0.29
5      1.03     2.12        1.71          0.65     2.53     0.29
6      1.03     1.73        1.27          0.62     2.43     0.24
7      0.98     1.82        1.20          0.59     2.54     0.23
8      1.03     1.84        1.31          0.63     2.53     0.24
9      1.44     1.51        1.95          0.54     2.53     0.29
10      1.35     1.81        1.16          0.64     2.43     0.23
11      1.35     1.93        1.20          0.65     2.43     0.23
12      1.03     2.17        1.90          0.60     2.53     0.33
13      1.14     2.47        1.44          0.55     2.53     0.30
条件式７ 条件式８ 条件式９   条件式１０    条件式１１
実施例   f2/f   νdL2p   ΔPgfL2p βosb×(1-βos)   |β1b|
1     -2.11      -        -            -           0.76
2     -3.07      -        -            -           0.76
3     -2.99      -        -            -           0.97
4     -2.20      -        -            -           0.76
5     -4.53      -        -            -           0.61
6     -2.84    16.48    0.0470         -           0.87
7     -1.60    20.88    0.0283         -           1.05
8     -2.72    23.78    0.0136         -           0.82
9     -2.90      -        -           0.60         0.69
10     -1.77    25.46    0.0130        0.38         1.16
11     -1.67    25.72    0.0138        0.38         1.28
12     -3.84      -        -            -           0.55
13     -8.95      -        -            -           0.79
【０１９７】
各実施例の諸収差図から明らかなとおり、本発明によれば、ウォブリング時の像倍率変動を抑制し、バックフォーカスの短いミラーレスカメラに最適な結像光学系を提供することができる。
【符号の説明】
【０１９８】
Ｌ１    第１レンズ群
Ｌ２    第２レンズ群
Ｌ３    第３レンズ群
Ｌ４    第４レンズ群
Ｌ５    第５レンズ群
Ｌ２ｍ  レンズ素子Ｌ２ｍ
Ｌ２ｐ  レンズ素子Ｌ２ｐ
Ｌｏｓ  レンズ成分Ｌｏｓ
Ｓ      開放絞り
ＬＰＦ  ローパスフィルター
Ｉ      像面
【図１】
2019191229.tif 000004
【図２】
2019191229.tif 000005
【図３】
2019191229.tif 000006
【図４】
2019191229.tif 000007
【図５】
2019191229.tif 000008
【図６】
2019191229.tif 000009
【図７】
2019191229.tif 000010
【図８】
2019191229.tif 000011
【図９】
2019191229.tif 000012
【図１０】
2019191229.tif 000013
【図１１】
2019191229.tif 000014
【図１２】
2019191229.tif 000015
【図１３】
2019191229.tif 000016
【図１４】
2019191229.tif 000017
【図１５】
2019191229.tif 000018
【図１６】
2019191229.tif 000019
【図１７】
2019191229.tif 000020
【図１８】
2019191229.tif 000021
【図１９】
2019191229.tif 000022
【図２０】
2019191229.tif 000023
【図２１】
2019191229.tif 000024
【図２２】
2019191229.tif 000025
【図２３】
2019191229.tif 000026
【図２４】
2019191229.tif 000027
【図２５】
2019191229.tif 000028
【図２６】
2019191229.tif 000029
【図２７】
2019191229.tif 000030
【図２８】
2019191229.tif 000031
【図２９】
2019191229.tif 000032
【図３０】
2019191229.tif 000033
【図３１】
2019191229.tif 000034
【図３２】
2019191229.tif 000035
【図３３】
2019191229.tif 000036
【図３４】
2019191229.tif 000037
【図３５】
2019191229.tif 000038
【図３６】
2019191229.tif 000039
【図３７】
2019191229.tif 000040
【図３８】
2019191229.tif 000041
【図３９】
2019191229.tif 000042
【図４０】
2019191229.tif 000043
【図４１】
2019191229.tif 000044
【図４２】
2019191229.tif 000045
【図４３】
2019191229.tif 000046
【図４４】
2019191229.tif 000047
【図４５】
2019191229.tif 000048
【図４６】
2019191229.tif 000049
【図４７】
2019191229.tif 000050
【図４８】
2019191229.tif 000051
【図４９】
2019191229.tif 000052
【図５０】
2019191229.tif 000053
【図５１】
2019191229.tif 000054
【図５２】
2019191229.tif 000055
【図５３】
2019191229.tif 000056
【図５４】
2019191229.tif 000057
【図５５】
2019191229.tif 000058
【図５６】
2019191229.tif 000059
【図５７】
2019191229.tif 000060
【図５８】
2019191229.tif 000061
【図５９】
2019191229.tif 000062
【図６０】
2019191229.tif 000063
【図６１】
2019191229.tif 000064
【図６２】
2019191229.tif 000065
【図６３】
2019191229.tif 000066
【図６４】
2019191229.tif 000067
【図６５】
2019191229.tif 000068
【図６６】
2019191229.tif 000069
【図６７】
2019191229.tif 000070
【図６８】
2019191229.tif 000071